(57)【特許請求の範囲】
【請求項１】
テープレコーダ本体に対して回動自在で電気的に回路を開閉するホールドスイッチを操作する爪が形成された取付ベースと、
前記取付ベースに取り付けられて前記テープレコーダ本体に対して回動自在で周部に複数の切り欠きが形成された回転シャッターと、
前記テープレコーダ本体に取り付けられ、前記回転シャッターの切り欠きと同数同間隔で、端部に前記回転シャッターの表面と同じ高さのリブが前記回転シャッターの外周に沿って形成された操作釦と、
前記テープレコーダ本体に取り付けられ、前記操作釦によって操作される操作スイッチと
を有し、回転シャッターを回動することによりリブを除く操作釦を隠すことが可能であり、さらに逆方向に回動することで、操作釦全体が現れテープレコーダを操作することが可能であるように構成した操作釦装置。
【請求項２】
操作釦は回転シャッター周部に設けた切り欠き数より１個多い数に構成され、回転シャッターを回動させることで操作釦を選択でき、操作釦に対応した本体機器の機能を選択可能に構成した請求項１記載の操作釦装置。
【発明の詳細な説明】
【０００１】
【発明の属する技術分野】
本発明は、テープレコーダ本体に備えた押し釦式の操作釦装置に関する。
【０００２】
【従来の技術】
カセットテープレコーダにおいては、近年、電子式操作釦の導入により釦を押すだけで操作できるようになっている。しかしながら、釦を押すだけで機器が不用意に動作するため、釦を誤って押しても動作させないスイッチが取り付けられている。
【０００３】
図７は従来の操作釦装置を示す。
２１は本体キャビネット、２２ａ〜２２ｆは本体キャビネット２１に取り付けられた押し釦式の操作釦である。２３は本体キャビネット２１に摺動自在に取り付けられたスライドツマミで、テープレコーダ内部に取り付けられたスライド式スイッチを操作するものである。
【０００４】
スライドツマミ２３は左右に摺動するものであり、左側に摺動させた状態では操作釦２２ａ〜２２ｆが操作可能であり、右側に摺動させた場合には操作釦２２ａ〜２２ｆはスライド式スイッチにより電気的に切断されて操作できなくなる。
【０００５】
【発明が解決しようとする課題】
しかしながら、上記のような操作方法では、スライドツマミ２３の位置が分かり難く、操作釦２２ａ〜２２ｆが操作可能か不可能かが一目で判断できないという問題がある。
【０００６】
本発明は上記問題を解決するもので、一目で操作可能か不可能かが分かる操作釦装置を提供することを目的とする。
【０００７】
【課題を解決するための手段】
本発明の操作釦装置は、テープレコーダ本体に対して所定の回転角度内で自由に回動する回転シャッターを設け、この回転シャッターの周部に切り欠きを複数形成し、さらに回転シャッターが取り付けられる取付ベースに電気的に回路を開閉するスイッチを操作する爪を形成し、操作釦は回転シャッターの周部の切り欠きと同数同間隔で配列され、その端部に回転シャッターの表面と同一高さのリブを回転シャッターの外周に沿って形成し、回転シャッターを回動することにより、操作釦が隠れたり現れたりして、一目で操作可能か否かを知ることができる。
【０００８】
【発明の実施の形態】
本発明の請求項１に記載の発明は、テープレコーダ本体に対して回動自在で電気的に回路を開閉するホールドスイッチを操作する爪が形成された取付ベースと、前記取付ベースに取り付けられて前記テープレコーダ本体に対して回動自在で周部に複数の切り欠きが形成された回転シャッターと、前記テープレコーダ本体に取り付けられ、前記回転シャッターの切り欠きと同数同間隔で、端部に前記回転シャッターの表面と同じ高さのリブが前記回転シャッターの外周に沿って形成された操作釦と、前記テープレコーダ本体に取り付けられ、前記操作釦によって操作される操作スイッチとを有し、回転シャッターを回動することによりリブを除く操作釦を隠すことが可能であり、さらに逆方向に回動することで、操作釦全体が現れテープレコーダを操作することが可能であるように構成したことを特徴とする。
【０００９】
この構成によると、回転シャッターを回動することにより、操作釦が隠れたり現れたりして、視覚的に釦操作が行なえるか否かが分かり、また操作釦の端部にリブを形成することで、釦の操作を行い易くするという作用を有する。
【００１０】
請求項２に記載の発明は、請求項１において、操作釦を回転シャッター周部に設けた切り欠き数より１個多い数に構成したことを特徴とする。
この構成によると、回転シャッターを回動させることで操作釦を選択でき、操作釦に対応した本体機器の機能を選択できる。
【００１１】
以下、本発明の実施の形態を図１〜図６に基づいて説明する。
（実施の形態１）
図１〜図４は（実施の形態１）の操作釦装置を備えたカセットテープレコーダの外観を示す。
【００１２】
図１は操作釦が操作可能な状態、図２は操作釦を隠した状態、図３は同カセットテープレコーダの一部切り欠き断面図、図４（ａ）（ｂ）は操作釦を操作するときの状態を示す要部平面図およびＡ−Ａ斜面図である。
【００１３】
回転シャッター１は、テープレコーダ本体である本体キャビネット４に対して回動自在で、周部に複数の切り欠きが設けられており、定められた回転角度内で自由に回動する。
【００１４】
２は回転シャッター１の回転の軸となる取付ベースとしてのシャッターベースで、その上面に回転シャッター１が固定されるとともにその一部は回転シャッター１から突出している。このシャッターベース２の内部端面には、電気部品であるスライドスイッチを操作するためのスイッチ操作爪２ａが形成されている。
【００１５】
操作釦３は回転シャッター１の切り欠きと同数同間隔で、本体キャビネット４に取り付けられており、その端部に回転シャッター１の表面と同じ高さの操作釦リブ３ａが回転シャッター１の外周に沿って形成されている。４ａは、操作釦３の外側の本体キャビネット４に設けられた凹部である。
【００１６】
図１は操作釦３が操作できる状態を示しており、図２は図１の状態から回転シャッター１を右方向に回転させて、操作釦３を隠した状態を示している。この図２に示す状態では操作釦リブ３ａを操作することができるが、テープレコーダは動作しない。
【００１７】
図３において、５はシャッターベース２が抜け落ちないようにするためのシャッター止め、６はシャッターベース２とシャッター止め５を締結するためのビス、７は本体キャビネット４に取り付けられ、シャッター機構を保持するためのシャッター受けである。８はシャッターベース２に形成されたスイッチ操作爪２ａで操作され、操作スイッチの回路を電気的に開閉するためのホールドスイッチ、９は操作釦３に連動する操作スイッチであり、１０はホールドスイッチ８、操作スイッチ９が取り付けられたプリント配線基板である。
【００１８】
このように構成された操作釦装置について、以下その動作について説明する。回転シャッター１は周部に半円形の切り欠きが等間隔に複数個設けられ、本体キャビネット４に取り付けられた操作釦３も半円形で、回転シャッター１の切り欠きと同数、同間隔に配置されている。回転シャッター１が切り欠きのピッチの１／２ピッチだけ回転することにより、操作釦３の上に回転シャッター１の切り欠いていない部分が重なることになる。
【００１９】
これにより操作釦３は隠され、一目で操作できないということが分かる。また回転シャッター１を回転させることによりスイッチ操作爪２ａが連動して動作し、ホールドスイッチ８を操作することで、電気回路を電気的に開いて操作スイッチ９の操作を無効にする。
【００２０】
図４は操作釦３を操作するときの指１１と操作釦３の関係を示す。操作釦３の端部に設けられた操作釦リブ３ａが操作釦３の操作面から凸形状になり、回転シャッター１の表面まで延出されている。この操作釦リブ３ａとこれに沿った位置で操作釦３の外側の本体キャビネット４に設けられた凹部４ａとの組み合わせにより、釦操作は行い易くなる。
【００２１】
以上のように本実施形態によれば、回転シャッター１の周部の切り欠きを操作釦３が対応するか否かで操作釦３の操作が可能か否かを一目で判断できることとなる。
【００２２】
（実施の形態２）
図５と図６は（実施の形態２）の操作釦装置を備えたカセットテープレコーダを示す。
【００２３】
この操作釦装置は、回転シャッター１の周部の切り欠き数より１個多い数の操作釦３を有している。図６は回転シャッター１が図５の位置から左方向に回転した状態を示す。
【００２４】
図５において、回転シャッター１から突出しているシャッターベース２に指を掛けて左方向に回転すると、図６に示すようにシャッター１の最先頭の切り欠きが、今まで隠れていた図６で示す操作釦３の上に移動してくるため、操作釦３が現れる。
【００２５】
一方、今まで現れていた図５で示す最後尾の操作釦３は、図６に示すように回転シャッター１の切り欠きの無い部分が上に移動してきて隠される。
このとき、両端の操作釦３に異なる機能を持たせることにより、回転シャッター１を回転することで操作釦装置の操作釦機能を切り替えるというような使い方が可能である。
【００２６】
【発明の効果】
以上のように本発明によれば、周部に切り欠きが等間隔に複数個設けられた回転シャッターが、本体キャビネット上に回転シャッターの切り欠きと同数、同間隔に配置された操作釦上を、回転シャッターが切り欠きのピッチの１／２ピッチだけ回転することにより、回転シャッターの切り欠いていない部分が操作釦に重なってこれを隠すことになり、一目で操作できないということが分かり、回転シャッターを回転させることによりスイッチ操作爪が連動して動作し、ホールドスイッチを操作することで、電気回路を電気的に開き操作釦の操作を無効にするという有利な効果が得られる。
【００２７】
また、操作釦に異なる機能を持たせ、回転シャッターの左右方向の回転により機能の選択を可能にするという有利な効果が得られる。
【図面の簡単な説明】
【図１】（実施の形態１）の操作釦装置を備えたカセットテープレコーダの操作釦が操作可能な状態を示す外観斜視図
【図２】図１の状態から回転シャッターを回転して、操作釦の操作が不可能な状態を示す斜視図
【図３】同実施の形態による操作釦装置を備えたカセットテープレコーダの操作釦装置の一部切り欠き図
【図４】操作釦を操作するときの状態を示す要部平面図およびＡ−Ａ断面図
【図５】（実施の形態２）の操作釦が操作可能な状態を示す斜視図
【図６】図５の状態から回転シャッターを回転した状態を示す斜視図
【図７】従来の操作釦装置の斜視図
【符号の説明】
１    回転シャッター
２    シャッターベース
２ａ  スイッチ操作爪
３    操作釦
３ａ  操作釦リブ
４    本体キャビネット
４ａ  凹部
５    シャッター止め
６    ビス
７    シャッター受け
８    ホールドスイッチ
９    操作スイッチ
１０  プリント配線基板
【図１】
0003565662.tif 000002
【図２】
0003565662.tif 000003
【図３】
0003565662.tif 000004
【図４】
0003565662.tif 000005
【図５】
0003565662.tif 000006
【図６】
0003565662.tif 000007
【図７】
0003565662.tif 000008